Podtech/llm-jp-corpus-v4-ja_patent huggingface dataset:
(57)【要約】【課題】  本発明はバイクハンドルグリップ部分にゴム又は金属の遮蔽板を設け手の甲を守るバイクハンドガードを提供する。【解決手段】  バイクハンドルグリップに握り拳を被う茄子を二ツ割りし実を抉り抜いた形態をした遮蔽板を設けたバイクハンドガード。【選択図】図３
2019163015.tif 000002
【特許請求の範囲】
【請求項１】
バイク運転時にグリップを握る拳を茄子形を二ツ割りにし実を抉った形態のゴム又は金属で危険物から緩衝遮蔽するバイクハンドガード。
【発明の詳細な説明】
【技術分野】
【０００１】  本発明は、バイク（自転車等）のハンドルに取り付け運転中の転倒や擦過等の怪我から手の甲を守る為のバイクハンドガードである。
【背景技術】
【０００２】  従来、防寒型の手カバーはあった。
【先行技術文献】
【特許文献】
【０００３】
【特許文献１】実開平５−３７６７０号公報
【特許文献２】実用新案登録３１２５４４０号公報
【発明の概要】
【発明が解決しようとする課題】
【０００４】  そのために、次のような問題点があった。
（イ）装着が複雑であった。
（ロ）緊急時に手を引出し難い。
本発明は、これらの問題点を解決するためになされたものである。
【課題を解決するための手段】
【０００５】  バイクハンドルのグリップ部分に茄子を二ツ割りし実の部分を抉り取った形状のゴム又は金属を取り付け握り拳を守るバイクハンドガードである。
【発明の効果】
【０００６】（イ）本発明は、運転時に何んら特別な（例えば、穴の中に手を挿入する）操作はなく通常にハンドルを握れば手の甲がガードされる。
（ロ）カラーガードを使用すれば駐輪多数の場でも色別にて自車を判別し易い。
【図面の簡単な説明】
【０００７】
【図１】  本発明の実施例の側面である。
【図２】  本発明のハンドルの取り付けた状態の説明図である。
【図３】  本発明の使用状態を示した説明図である。
【図４】  本発明の他の実施例の展開図である。
【図５】  本発明の本体と取付金具の説明図である。
【図６】  本発明の取付及び使用状態を説明した図である。
【発明を実施するための形態】
【０００８】  以下、本発明の形態について説明する。
図３より本体１は茄子の二ツ割りの部分を抉り取った様な形でゴムで作られていて本体を取り付ける為のゴム穴２と取り付け易いスリット３の部分から構成されていて金具４にて本体が回転しない様に絞り止メする。
図４以下図６迄はゴム形同様金属板を椀系に絞り４の部分はビス用の穴を開けハンドルの太さに丸め螺子止メする。
グリップエンド７は金属を図形に絞り螺子止メする。６は長さ調節の為長くしてある。
本発明は、以上の構成である。
本発明を使用する時は、バイクハンドルに本体を使用図の様に取り付け普通にハンドルを握る事で運転中の対向車や塀等との擦過傷等の怪我から手の甲を守る事が出来その後取り外す必要も無くバイクの一部となり色別（カラーゴム）により自車を判別し易い。
【符号の説明】
【０００９】１  本体図
２  グリップエンドを挿入する穴
３  取付容易なスリット
４  本体回転止メ金具
５  ハンドルグリップ
６  長サ調節用差し込み部分
７  グリップエンド止メ金具
８  バイクハンドル
９  バイクブレーキ
【図１】
2019163015.tif 000003
【図２】
2019163015.tif 000004
【図３】
2019163015.tif 000005
【図４】
2019163015.tif 000006
【図５】
2019163015.tif 000007
【図６】
2019163015.tif 000008
(57)【要約】【課題】従来の有翼のヘリコプターは、回転翼が作り出す下降気流が主翼に当たり、揚力を減じさせる問題が有った。【解決手段】本発明の有翼のヘリコプターは、下部胴体１と上部胴体４とに分かれており、下部胴体１と上部胴体４は固定軸８でつながっている。そして回転翼３は下部胴体１と上部胴体４の間に有る。主翼は上部胴体４に取り付けられているので、回転翼３が作り出す下降気流が主翼に当たる事が無い。【選択図】図１
2019163016.tif 000002
【特許請求の範囲】
【請求項１】
有翼のヘリコプターにおいて、マスト・マウント式に、回転翼（３）の上方に主翼（１０）を取り付けた事を特徴とする有翼のヘリコプター。
【請求項２】
上記請求項１の有翼のヘリコプターにおいて、マスト・マウント式取り付けた上部胴体（４）に、垂直尾翼（５）を取り付けた事を特徴とする有翼のヘリコプター。
【請求項３】
上記請求項２の有翼のヘリコプターにおいて、巡航飛行中は、回転翼（３）を、空気抵抗の少ない回転角度位置の状態で、空中で停止させる事を特徴とする有翼のヘリコプター。
【発明の詳細な説明】
【技術分野】
【０００１】      本発明は、有翼のヘリコプターに関するものである。
【背景技術】
【０００２】      有翼のヘリコプターは過去に存在したし、現在も存在する。それは複合ヘリコプターと呼ばれるもので、具体的な機種名を挙げると、フェアリーロートダイン、オスプレイ（Ｖ−２２）、シコルスキーＸウィング、ＡＨ―５６シャイアン、パイアセッキＸ−４９、などである。
【発明の概要】
【発明が解決しようとする課題】
【０００３】      今までの有翼のヘリコプターは、回転翼の下側に主翼が有る為、回転翼の回転によって生じる下降気流が主翼に当たり、下向きの力を生じさせ、回転翼の回転によって生じる揚力を減らしてしまう問題が有った。
【課題を解決するための手段】
【０００４】      本発明の有翼のヘリコプターは、回転翼３の上側に主翼１０が取り付けられているので、回転翼３の回転によって生じる下降気流が主翼に当たらない。
【発明の効果】
【０００５】      下降気流が主翼３に当たらないので、主翼に下向きの力が生じる事が無く、回転翼の回転によって生じる揚力を減じる事が無い。固定軸８の上端に、マスト・マウント式に取り付けられた上部胴体４に、垂直尾翼５が取り付けられているので、垂直尾翼を上方に高く伸ばした設計でも、回転翼３に当たる事がなく、機体の全長を短くできる。本発明の有翼のヘリコプターは、巡航飛行中は主翼１０の揚力だけで飛行可能なので、回転翼３を空気抵抗の少ない角度の位置で、空中で停止して飛行する事で、燃料消費を節約して飛行する事ができる。
【図面の簡単な説明】
【０００６】
【図１】本発明に係る有翼のヘリコプターの側面図である。
【図２】本発明に係る有翼のヘリコプターの平面図である。
【図３】本発明に係る有翼のヘリコプターの正面図である。
【発明を実施するための形態】
【０００７】      本発明に係る具体的な実施例である、図１、図２、図３を用いて説明する。下部胴体１に乗員が乗り、下部胴体は主輪６と前輪７を有する。さらに下部胴体後方に推進用プロペラ２を有する。さらに下部胴体は固定軸８を有し、固定軸にはローターハブ９が取り付けられ、ローターハブには回転翼３が取り付けられている。さらに固定軸８の上端にはマスト・マウント式に上部胴体４が取り付けられ、上部胴体には主翼１０と垂直尾翼５が取り付けられ、垂直尾翼上端に水平尾翼１１が取り付けられている。
【符号の説明】
【０００８】      １  下部胴体
２  推進用プロペラ
３  回転翼
４  上部胴体
５  垂直尾翼
６  主輪
７  前輪
８  固定軸
９  ローターハブ
１０  主翼
１１  水平尾翼
【図１】
2019163016.tif 000003
【図２】
2019163016.tif 000004
【図３】
2019163016.tif 000005
(57)【要約】【課題】折り畳み状態で扁平に保持できる簡易組立形の段ボール箱を提供する。【解決手段】  各一対の長さ側面１及び幅側面２を連設し、長さ側面１の下縁から延出した長さ底面５と、幅側面２の下縁から延出した幅底面６とを、折目線７を基端とする糊付面８を介して貼り合わせることにより、折り畳み状態から簡単に組み立てられるようにした段ボール箱において、底面付近の対向する部位に、折り畳み状態で係合するロック手段を有することを特徴とする反発防止梱包箱。【選択図】図３
2019156427.tif 000002
【特許請求の範囲】
【請求項１】
各一対の長さ側面及び幅側面を連設し、長さ側面の下縁から延出した長さ底面と、幅側面２の下縁から延出した幅底面とを、折目線を基端とする糊付面を介して貼り合わせることにより、折り畳み状態から簡単に組み立てられるようにした段ボール箱において、底面付近の対向する部位に、折り畳み状態で係合するロック手段を有することを特徴とする反発防止梱包箱。
【発明の詳細な説明】
【技術分野】
【０００１】
本発明は、開封後に解体し、折り畳んで廃棄できる簡易組立形の梱包箱に関する。
【背景技術】
【０００２】
従来、この種の梱包箱は、各一対の長さ側面及び幅側面が連設され、それらの上縁から長さ天面及び幅天面が、下縁から長さ底面及び幅底面がそれぞれ延出されている。長さ底面には折目線を基端とする糊付面が設けられ、長さ底面と幅底面とを糊付面を介して貼り合わせることにより、折り畳み状態から簡単に組み立てられるようになっているのが一般的である（例えば、特許文献１）。
【先行技術文献】
【特許文献】
【０００３】
しかしながら、特許文献１に記載された梱包箱では、折り畳み状態において、底部分の折目が強く反発するので、結束等を行わなければ、扁平な状態に保持できないという問題がある。
【特許文献１】実開昭６２−１９１６２１号公報
【発明の概要】
【発明が解決しようとする課題】
【０００４】
そこで、本発明の課題は、折り畳み状態で扁平に保持できる簡易組立形の梱包箱を提供することにある。
【課題を解決するための手段】
【０００５】
上記課題を解決するため、本発明は、各一対の長さ側面及び幅側面を連設し、長さ側面の下縁から延出した長さ底面と、幅側面の下縁から延出した幅底面とを、折目線を基端とする糊付面を介して貼り合わせることにより、折り畳み状態から簡単に組み立てられるようにした梱包箱において、底面付近の対向する部位に、折り畳み状態で係合するロック手段を有することを特徴とする。
【発明の効果】
【０００６】
本発明によれば、折り畳み状態で扁平に保持できる簡易組立形の梱包箱を提供できる。
【図面の簡単な説明】
【０００７】
【図１】図１は、本発明の実施の一形態に係る段ボール箱のブランクを示す図である。
【図２】図２は、図１の状態から組立状態を示す斜視図である。
【図３】図３は、図２の状態から折り畳んだ状態を示す斜視図である。
【図４】図４は、従来の段ボール箱の折り畳み状態を示す斜視図である。
【発明を実施するための形態】
【０００８】
以下に、段ボール箱を例に、図面を参照しながら、本発明の実施の一形態について説明する。ただし、以下の説明は、あくまでも本発明の例示にすぎず、以下の記載によって発明の技術的範囲が限定されるものではない。
【０００９】
図１は、本発明の実施の一形態に係る段ボール箱のブランクを示す図である。各一対の長さ側面１及び幅側面２が交互に連設され、それらの上縁から長さ天面３及び幅天面４が、下縁から長さ底面５及び幅底面６がそれぞれ延出されている。
【００１０】
各長さ底面５には、折目線７を基端とする糊付面８が設けられている。また、一方の長さ側面１の外側縁には継代面９が設けられている。
【００１１】
そのほか、一方の長さ側面１から長さ天面３にかけてロック片１０ａ、長さ天面３の基部にロック穴１１ａがそれぞれ切込により形成されている。
【００１２】
また、他方の長さ天面３の先端部にはロック片１０ｂが突設され、ロック片１０ｂの基部にロック穴１１ｂが切込により形成されている。
【００１３】
そして、各長さ底面５の端部から、引掛部１２が突設されている。
【００１４】
図２は、図１の状態から組立状態を示す斜視図である。各一対の長さ側面１及び幅側面２を折り曲げて継代面９で繋ぎ、長さ底面５と幅底面６とを糊付面８を介して貼り合わせる。
【００１５】
また、物品収納後、この段ボール箱を封緘するには、ロック片１０ａ及びロック穴１１ａを有する一方の長さ天面３と、両方の幅天面４を折り曲げた後、ロック片１０ｂ及びロック穴１１ｂを有する長さ天面３を折り曲げつつ、ロック片１０ｂをロック穴１１ａに挿入し、ロック片１０ａをロック穴１１ｂに挿入する。
【００１６】
このように封緘すると、粘着テープやステープルによる封緘のように、開封時に段ボールが傷つくことがないので、この段ボール箱は、繰り返して何度でも使用することができる。また、平衡状態で積み重ねることもできる。
【００１７】
図３は、図２の状態から折り畳んだ状態を示す斜視図である。各一対の長さ側面１及び幅側面２を押し潰す。これに伴い、長さ底面５及び幅底面６が上方へ折り曲げられ、糊付面８が折目線７に沿って折り返される。
【００１８】
このような折り畳み状態において、各引掛部１２の先端部が係合し、底部分の反発を防ぎ、段ボール箱は扁平状態に保持される。
【００１９】
従って、この段ボール箱は、折り畳み状態での輸送・保管に際し、紐掛け等を行わなくとも嵩張らないため、費用削減をすることができる。
【００２０】
また、この段ボール箱は、従来の簡易組立箱とブランクの形状に大幅な変更は必要ないため、工程を大きく改変することなく、安価に製造することができる。
【００２１】
以上説明した通り、本発明によれば、折り畳み状態で扁平に保持できる簡易組立形の梱包箱を提供できる。
【００２２】
なお、実施の一形態においては、段ボール箱を例に説明したが、本発明の構造は、開封後に解体し、折り畳んで廃棄できる簡易組立形の梱包箱一般に適用可能であり、段ボール箱以外に、プラスチック段ボールや紙箱にも適している。
【符号の説明】
【００２３】
１      長さ側面
２      幅側面
３      長さ底面
４      幅底面
５      長さ天面
６      幅天面
７      折目線
８      糊付面
９      糊代面
１０ａ  ロック片
１０ｂ  ロック片
１１ａ  ロック穴
１１ｂ  ロック穴
１２    引掛部。
【図１】
2019156427.tif 000003
【図２】
2019156427.tif 000004
【図３】
2019156427.tif 000005
【図４】
2019156427.tif 000006
(57)【要約】【課題】２液混合型エポキシ樹脂を低粘度に保ったままチクソトロピック性を付与する。【解決手段】２液混合型エポキシ樹脂の主剤としてのビスフェノールＡ型エポキシ樹脂（２５℃における粘度９００ｍＰａ・ｓ）１００質量部を８０℃に加熱し、ディゾルバー型分散機を用いて撹拌速度１０００ｒｐｍで撹拌しながら粉末状脂肪酸アマイドワックス（融点１２５℃、酸価１５、アミン価３）２質量部を徐々に添加して３０分間かけて均一に分散する。続いて、撹拌及び加温を停止して、室温になるまで放置する。【選択図】なし【特許請求の範囲】
【請求項１】
主剤と硬化剤とからなる２液混合型エポキシ樹脂であって、前記主剤又は硬化剤に脂肪酸アマイドワックスを加熱分散した後に徐冷することを特徴とする２液混合型エポキシ樹脂へのチクソトロピック性付与方法。
【請求項２】
前記加熱分散時の加熱温度が８０〜１００℃であり、分散時間が２０〜６０分であることを特徴とする２液混合型エポキシ樹脂へのチクソトロピック性付与方法。
【発明の詳細な説明】
【技術分野】
【０００１】
本発明は、２液混合型エポキシ樹脂へのチクソトロピック性付与方法に関する。
【背景技術】
【０００２】
従来、２液混合型エポキシ樹脂へのチクソトロピック性付与方法としては、炭酸カルシウム、マイカ、有機ベントナイト等の無機物粒子の充てんによってチクソトロピック性が付与されてきた。
【０００３】
しかし、これらの無機物粒子を充填する方法にあっては２液混合型エポキシ樹脂の粘度そのものが高くなってしまうという課題がある。
【先行技術文献】
【特許文献】
【０００４】
【特許文献１】特開２０１７−１７１７６７号公報
【発明の概要】
【発明が解決しようとする課題】
【０００５】
解決しようとする課題は、２液混合型エポキシ樹脂を低粘度に保ったままチクソトロピック性を付与する点である。
【課題を解決するための手段】
【０００６】
本発明は、主剤と硬化剤とからなる２液混合型エポキシ樹脂であって、前記主剤又は硬化剤に脂肪酸アマイドワックスを加熱分散した後に徐冷することを最も主要な特徴とする。
【発明の効果】
【０００７】
本発明の２液混合型エポキシ樹脂へのチクソトロピック性付与方法によれば、液混合型エポキシ樹脂を低粘度に保ったままチクソトロピック性を付与することができるという利点がある。
【発明を実施するための形態】
【０００８】
本発明の２液混合型エポキシ樹脂へのチクソトロピック性付与方法は、例えば以下のようなものである。
【０００９】
２液混合型エポキシ樹脂の主剤としてのビスフェノールＡ型エポキシ樹脂（２５℃における粘度９００ｍＰａ・ｓ）１００質量部を８０℃に加熱し、ディゾルバー型分散機を用いて撹拌速度１０００ｒｐｍで撹拌しながら粉末状脂肪酸アマイドワックス（融点１２５℃、酸価１５、アミン価３）２質量部を徐々に添加して３０分間かけて均一に分散する。続いて、撹拌及び加温を停止して、室温になるまで放置する。
【００１０】
前記主剤はビスフェノールＡ型に限らずビスフェノールＦ型を用いても良い。
前記エポキシ樹脂の粘度は特に限定されず、任意のものを用いることができる。
【００１１】
前記分散機はディゾルバー型撹拌機に限らず、プラネタリー型、ロールミル型、サンドミル型等を用いることができる。これらのうち、剪断と加熱とを同時に加えることができる撹拌機を用いることが好ましい。
【００１２】
前記主剤の加熱温度は５０〜１２０℃であることが好ましく、８０〜１００℃であることがより好ましい。加温しながら撹拌することにより粉末状脂肪酸アマイドワックスを膨潤させることができる。
【００１３】
前記加熱分散時間は２０〜６０分であることが好ましい。
前記粉末状脂肪酸アマイドワックスの添加量は好ましくは０．５〜５％であり、より好ましくは１〜３％である。
【００１４】
前記加温撹拌後は室温まで徐冷することが好ましい。徐々に温度を下げて室温に戻すことにより膨潤した脂肪酸アマイドワックスが結晶化し、ビスフェノールＡ型エポキシ樹脂にチクソトロピック性を付与することができる。
【００１５】
２液混合型エポキシ樹脂の硬化剤としての変成脂肪族ポリアミン（２５℃における粘度６２０ｍＰａ・ｓ）に対しても同様に１００質量部を８０℃に加温し、ディゾルバー型撹拌機を用いて撹拌速度１０００ｒｐｍで撹拌しながら粉末状脂肪酸アマイドワックス（融点１２５℃、酸価１５、アミン価３）２質量部を徐々に添加して均一に分散する。続いて、撹拌及び加温を停止して、室温になるまで放置する。
【００１６】
前記硬化剤は変成脂肪族ポリアミンに限らず、エポキシ基と反応硬化するものであれば任意に用いることができる。例えば、マンニッヒ型、アミンアダクト型等が挙げられる。
【００１７】
以上のようにして生産されたエポキシ樹脂主剤と硬化剤とは低粘度でありながらチクソトロピック性が付与される。
【００１８】
前記形態ではエポキシ樹脂主剤及び硬化剤の双方についてチクソトロピック性を付与させたが、どちらか一方でも良い。このように構成した場合でも主剤及び硬化剤を混合すれば混合物にチクソトロピック性を付与することができる。
【実施例１】
【００１９】
以下、本発明の実施例を説明する。評価は表１に示すエポキシ樹脂主剤及び硬化剤について、ブルックフィールド型粘度計を用いて回転数２ｒｐｍの粘度（２５℃）及び粘度比＝２ｒｐｍ／６０ｒｐｍ（２５℃）のＴＩ値（チクソトロピー・インデックス）を測定することにより行った。試験の結果を表１に示す。なお、実施例７については実施例２と実施例５とを混合したものについて試験を行った。
【００２０】
【表１】
2019156888.tif 000002
(57)【要約】【課題】本発明は、災害時などでも、ろうそくの代用として家庭用油で燃焼状況がつくれる。【解決手段】油を吸収する特別な粘土と焼成方法によって製造され、芯部分も取り替えでき、数箇所の燃焼する芯（糸芯）によって、調理や照明器具として使用できる。【選択図】図１
2019086270.tif 000002
【特許請求の範囲】
【請求項１】
油を吸収する粘土または陶器、セラミックで形成された燃焼器。
【請求項２】
油を吸収する粘土または陶器、セラミックで形成された燃焼器に油を吸収し燃焼可能な糸、ひも状の紙、セラミックを装着し燃焼させる器具。
【発明の詳細な説明】
【技術分野】
【０００１】本発明は、一般家庭用サラダ油など様々な油を燃料に燃焼する加熱具であり照明具である。
【背景技術】
【０００２】生活雑貨で使用される（仏具用ではない）ろうそくは長時間使用すると、火力が弱く炎も不安定になり糸芯部分が溶けた蝋に沈み、炎が消えて蝋を使いきることがなかった。
【先行技術文献】
【実用新案文献】
【０００３】
【実用新案文献１】
公開実用  昭和４７−１０９３４
特開２００８−１０１０４８
特開２００８−２５７８６９
【発明の概要】
【発明が解決しようとする課題】
【０００４】燃焼器（１）自体が油を吸収しているので、燃焼する芯にが安定して油を送り供給する事ができ、油を足すことによって長時間安定した炎の状態と火力が得られる。また燃焼する芯を交換すれば油を吸収する燃焼器（１）は長期間使用する事ができる。
【課題を解決するための手段】
【０００５】油を吸収する燃焼器（１）は、油を吸収するよう特別な粘土と焼成方法により製造され、何度でも使用でき、煮沸消毒もできる。また油を吸収する燃焼器（１）を数個を組み合わせ使用することで、高い火力が得られ調理する事ができる。
【発明の効果】
【０００６】例えばオイル漬け缶詰の具を食べたあとの残った油に投入し灯火する事ができる。油を吸収する燃焼器を同時に数個組み合わせ強い火力が得られ、炒め物、炊飯が可能になるなど災害時に役立つ。
【図面の簡単な説明】
【０００７】
【図１】本発明の油を吸収する燃焼器の平面図である。
【図２】本発明の燃焼する芯装着時の側面図である。
【図３】本発明の使用時の側面図である。
【発明を実施するための形態】
【０００８】本発明の実施について説明する。卓上などに置き、一般家庭にあるサラダ油や天ぷら油などを注ぎ使用する。また直接油の中にアロマオイルを加える事も可能で、アロマディフューザーとしても使用できる。
【符号の説明】
【０００９】    １  油を吸収する燃焼器（１）
２  燃焼する芯の部分
３  燃焼する芯を差し込む溝
４  家庭用油
５  容器
【図１】
2019086270.tif 000003
【図２】
2019086270.tif 000004
【図３】
2019086270.tif 000005
(57)【要約】【課題】建物に供給される空調機からの空気（冷気・暖気）や換気システムからの空気は、通常はダクトやチャンバーを経由する。ダクトは本体から供給される室内まで長い距離を施工しなければならないし、吹出口付近もダクト・チャンバー・吹出口のスペース確保に労力が取られる。【解決手段】階間空間をダクト・チャンバー化することにより、空調機・換気システムのダクトの長さが短くなり（もしくは無くなり）、上の階は床ガラリを経由して室内に空気が供給され、下の階は天井ガラリを経由して室内に空気が供給されるので、スペース確保の問題や施工手間などに係る労力が軽減となる。【選択図】図１
2019086272.tif 000002
【特許請求の範囲】
【請求項１】
空調機・換気システムから供給される空気を階間空間を経由して上の階の室内と下の階の室内に空気を屋内に供給することを特許請求の範囲とする。
【発明の詳細な説明】
【技術分野】
【０００１】  この発明は建物の階間を利用してダクト・チャンバー化する技術に関するものである。
【背景技術】
【０００２】  建物の空調や換気にはダクトやチャンバーを利用して空気を循環させるのが一般的である。
【発明の概要】
【発明が解決しようとする課題】
【０００３】  図２に示すように空調、換気ともにダクトやチャンバーは天井や床下空間を占有するし、長い経路を施工しなければならず、スペースの確保と施工に労力が取られる。
【課題を解決するための手段】
【０００４】  以上の課題を解決するため、階間（２階建の建物で有れば１階天井（＝２階床下）空間など）を自由に空気が循環する空間にしてダクト及びチャンバー化する。
【発明の効果】
【０００５】  空調・換気ともに階間を利用して下の階には天井から上の階には床から空気を吹き出すものとする。これにより一般的に使われているダクト配管やチャンバー設置が不要となり、スペースの問題が解決し、施工の手間が省けることとなる。
【図面の簡単な説明】
【０００６】
【図１】この発明の一実施形態を示す建物の断面図である。
【図２】一般的な建物での空調・換気を示す断面図である。
【発明を実施するための形態】
【０００７】  この発明の一実施形態を、図１に示す。
６の換気システム本体から供給される空気（５）と８の空調機本体から供給される冷気・暖気（７）は短いダクトもしくはダクトを用いずに気密化された階間空間（９）に排出される。階間空間（９）に供給された空気は、上の階は床ガラリから室内に供給され（１０）、下の階は天井ガラリから室内に供給される。
【０００８】「実施形態の効果」
一般的な空調や換気はダクトやチャンバーを用いて室内に空気を供給するが、ダクトが殆ど必要なくなり階間がそのままチャンバーになるため、スペースの問題や施工の手間が軽減されることとなる。
【符号の説明】
【０００９】１  建物    ２  上の階の室内    ３  下の階の室内    ４  換気システムに導入される外気    ５  換気システムから供給される空気    ６  換気システム本体    ７  空調機から供給される空気（冷気・暖気）
８  空調機本体    ９  階間空間（気密化して空気が漏れを防ぐ）
１０  床ガラリを経由して２階室内に供給される空気
１１  天井ガラリを経由して１階室内に供給される空気
１２  換気システムから空気を供給するためのダクト
１３  換気システムからダクト・天井吹出口を経由して供給される空気
１４  空調機から空気（冷気・暖気）を供給するためのダクト
１５  空調機からダクト・天井吹出口を経由して供給される空気（冷気・暖気）
【図１】
2019086272.tif 000003
【図２】
2019086272.tif 000004
(57)【要約】      （修正有）【課題】ピンホールメガネの「遮光板」の材質が不透明な材質であることによる、ピンホール以外での視野の制限がもたらす精神的および安全面での不安や、歩行等の移動の不自由、長時間の着用の煩わしさを解消するピンホールメガネを提供する。【解決手段】ピンホールメガネ３の「遮光板」１の材質を透明な材質の物とする。また、視力回復のためには、このピンホールメガネ３と日常使用のメガネ・コンタクトレンズを併用しつつ、日常使用のメガネ・コンタクトレンズのレンズ度数を低くして、その度数に眼が順応してきたら、さらに低い度数のメガネ・コンタクトレンズに変更するということを繰り返し最終的に度なしの状態になるまで、段階的に度数を低く変更していく。【選択図】図１
2019086748.tif 000002
【特許請求の範囲】
【請求項１】
「遮光板」の材質を透明な材質にしたことを特徴とするピンホールメガネ。
【請求項２】
度入りのメガネ・コンタクトレンズに、請求項１記載のピンホールメガネを併用し、度入りメガネ・コンタクトレンズのレンズ度数（単位ディオプトリ）を段階的に軽度なレンズ度数に変更して、最終的にレンズ度数を±０ディオプトリにすることによって視力回復を促す視力回復方法。
【発明の詳細な説明】
【技術分野】
【０００１】  本発明は、眼の疲労回復や視力回復に用いるピンホールメガネの遮光板の材質及び視力回復方法に関するものである。
【背景技術】
【０００２】  従来、眼の疲労回復や視力回復に用いるピンホールメガネは、メガネのレンズ部分に光を透さない材質又は不透明な材質の遮光板を用い、その遮光板に小さな穴（ピンホール）を設けたものである。
【先行技術文献】
【特許文献】
【０００３】
【特許文献１】特開２００２−２１４５７１号公報
【特許文献２】実登３１５８２８９号公報
【非特許文献】
【０００４】
【非特許文献１】本部千博監修「視力回復メソッド」学研パブリッシング２０１３年
【発明の概要】
【発明が解決しようとする課題】
【０００５】  しかしながら、以上の技術によれば、ピンホールメガネの「遮光板」の材質は、光を透さない材質又は不透明な材質であるため、ピンホール以外での視野が遮られるために、視野が制限されることによる精神的および安全面での不安があり、歩行等の移動に適さず、長時間の着用にも煩わしさがあり、日常生活の面でも、視力回復の面でも、実用上不十分であった。
そこで、この発明は、視野が制限されることによる精神的および安全面での不安をなくし、また長時間着用しても煩わしさを感じさせずに、眼の疲労回復・視力回復の効果をより高めることのできるピンホールメガネ及び視力回復方法を提供することを課題とする。
【課題を解決するための手段】
【０００６】  以上の課題を解決すために、本発明は、「遮光板」の材質を透明な材質にしたことを特徴とするピンホールメガネである。【０００７】  また、度入りのメガネ・コンタクトレンズに、本発明のピンホールメガネを併用し、度入りメガネ・コンタクトレンズのレンズ度数（単位ディオプトリ）を段階的に軽度なレンズ度数に変更して、最終的にレンズ度数を±０ディオプトリにすることによって視力回復を促す視力回復方法に使用することを特徴とするピンホールメガネである。
【発明の効果】
【０００８】  本発明のピンホールメガネは、「遮光板」の材質を透明な材質にしたので、視野を制限されることによる精神的および安全面での不安がなくなり、また長時間の着用に煩わしさを感じにくいという利点がある。【０００９】  また、近視・遠視・乱視の人は、日常使用のメガネ・コンタクトレンズのレンズ度数（単位ディオプトリ）を段階的に高い度数から低い度数に変更しながら、最終的に度なしの状態（±０ディオプトリ）になるまで、本発明のピンホールメガネと併用することによって、裸眼で生活できるまでに視力を回復することが出来る。
【図面の簡単な説明】
【００１０】
【図１】  この発明のピンホールメガネの一実施形態を示した斜視図である。
【図２】  この発明のピンホールメガネの一実施形態を示した斜視図である。
【図３】  この発明のピンホールメガネの一実施形態を示した斜視図である。
【発明を実施するための形態】
【００１１】  この発明の一実施形態を、図１に示す。
ピンホールメガネの「遮光板」１は透明であり、この「遮光板」１に小さな穴（ピンホール）２が設けられている。
【００１２】  「実施形態の効果」
従来のピンホールメガネは、ピンホール部分で見たときに、毛様体筋の緊張が緩和されて、眼の疲労回復につながたり、ピントが合って視力回復に効果があると言われているが、ピンホールメガネをはずすと、もとの視力のままである。
本発明は、ピンホールで見たときの毛様体筋の緩和と、ピンホール以外の部分で見たときの毛様体筋の緊張の無意識の繰り返しの中で、ピント調整力が鍛えられ、より視力回復の効果がある。
【００１３】  遮光板を透明にしたことによって、レンズとして度を入れることが出来る。
【００１４】  「他の実施形態」
図２・図３は、度入り等他の日常使用のメガネと本発明のピンホールメガネとの併用の実施例である。
【符号の説明】
【００１５】  １  透明な材質の「遮光板」
２  ピンホール
３  ピンホールメガネ
４  メガネ
５  ピンホールメガネ（オーバーグラス式）
６  ピンホールメガネ（着脱式）
【図１】
2019086748.tif 000003
【図２】
2019086748.tif 000004
【図３】
2019086748.tif 000005
(57)【要約】      （修正有）【課題】大災害、大事故などにおける多数、多種多様の被災者の混在が、自助、共助、公助の、救難行動、救援活動、などに弊害を為している現状がある。【解決手段】この混在を為す被災者の、個々人の情報記載のゼッケン，その他、上着、雨具、シート、傘、バルーン、音声、音響、光線などの物品を使用又は着用することにより、迅速で効率の良い救援行動を目指すものであり被災者の自助、共助、公助の促進を促すものである。【選択図】なし【特許請求の範囲】
【請求項１】
ゼッケン、又はその他、任意の物品、（着衣、雨かっぱ、のぼり旗、帽子、傘、バルーン、）などに郵便番号、都道府県名、氏名、生年月日、住所、連絡電話、身体障碍事項、連絡医療機関、国籍などを記載させる方法
【請求項２】
音声、音響、光源、などを用いた捜索方法
【発明の詳細な説明】
【技術分野】
【０００１】本発明は大災害，大事故などに於ける被災者の救援方法に関するものである
【背景技術】
【０００２】大規模な災害、大事故などにより大量の被災者が発生した場合、特に都市部などでは、多種多様、多方面の被災者の集団が生まれ、多数の住居消失者、帰宅困難者が発生し混在をなす現実がある，尚、地震と連動した津波、豪雨、その他の水難なども常に考慮すべき危険要素である
【先行技術】
【０００３】然るに被災者同士に於いても大集団の場合、お互いの帰宅地域、個人事情、不安心理などの混在、混乱などにより個々人事情の判断ができず、自助、共助、公助の救難行動、救援計画などが混乱をなす現状がある
【発明の概要】
【発明が解決しようとする課題】
【０００４】そして多種多様の被災者の、住居地域、帰宅地域、氏名、年齢、住所、電話番号、その他の事柄が、お互いに全く判らない状態を解消し相互認識を為し自助、共助、公助の安全、迅速な避難及び救援活動を目指すものである
【課題を解決するための手段】
【０００５】即ち、郵便番号、都道府県名、氏名、性別、年齢、住所、連絡電話、身体障碍事項、医療機関、国籍など種々の情報が記載されたゼッケン、その他、着衣、雨かっぱ、のぼり旗、帽子、傘、バルーンなどの着用、使用を為す、又、音声、音響、光線などの使用は夜間の暗闇捜索方法に有効である、尚、被災者の親族、知人捜索などの場合、事前に相互に合意した共通のゼッンその他の物品、用具などを着用、使用する方法も考えられる、尚、家族単位、職場単位、地域単位などでゼッケンその他に稀少性、非日常性を有する形状，形態、色彩などの特徴を付与させれば、相互に発見の確率が向上し捜索、救援活動に優位を得る、そして津波、豪雨など水難の対応策としてゼッケンに浮力を持たせ救命具の役目を持たせてもよいし、救命具にゼッケンの役目を持たせると、水難事故の減災、救命に利用できる
【発明の効果】
【０００６】前述の如くゼッケン記載の郵便番号、その他の情報により被災者の自助、共助、も容易に促進され、公助の救援策に於いても種々の情報判別、対応の効率化が可能になり、又、暗闇状態の場合には音声、音響、光線はなどが捜索に効果を果たすものであり、個々人の稀少性、非日常性などの特殊性を利用した形状、色彩、音響、光線なども、救援捜索の発見確率に有効を得るものである、尚、浮力を有するゼッケンは津波，豪雨、その他の水難の救命に役立つものである
【図面の簡単な説明】
【０００７】
【図１】及び
【図２】は本発明のゼッケンの例
【発明を実施するための形態】
【０００８】ゼッケンその他前述の種々物品に郵便番号、都道府県名、氏名、生年月日、住所、連絡電話、身体障碍事項、連絡医療機関、国籍などを記載させ災害時の避難時に着用、装備を為す、尚、特定人を捜索する場合などは種々な物品に稀少性、非日常性の色彩、形状、音響などを付与すれば、その目印を捜索することで発見確率が向上を為すものである
【符号の説明】
【０００９】１・郵便番号  ２・都道府県名  ３・氏名  ４・生年月日  ５・住所  ６・連絡電話
７・身体障害事項  ８・連絡医療機関  ９・・国籍  １０・ゼッケン
【図１】
2019106155.tif 000002
【図２】
2019106155.tif 000003
(57)【要約】【課題】    コンニャク精粉を水で溶き、それを撹拌しながら加熱し沸騰させてコンニャク糊を作り、それにオリゴ糖を溶解させた水溶液を加えてオリゴ糖入りコンニャク糊を作る。ヨーグルトのカップなどの容器に、オリゴ糖入りコンニャク糊とプロバイオティクス入りヨーグルトを入れ封印する。このようにしてコンニャク糊とオリゴ糖とプロバイオティクス入りヨーグルトを一度で食べることが出来るヨーグルトのセットの提供をすること。【解決手段】  コンニャク精粉を水で溶き、それを撹拌しながら加熱し沸騰させてコンニャク糊を作り、それにオリゴ糖を溶解させた水溶液を加えてオリゴ糖入りコンニャク糊を作る。ヨーグルトのカップなどの容器に、オリゴ糖入りコンニャク糊とプロバイオティクス入りヨーグルトを入れ封印する。このようにしてコンニャク糊とオリゴ糖とプロバイオティクス入りヨーグルトを一度で食べることが出来るヨーグルトのセットの提供をすること。【特許請求の範囲】
【請求項１】
コンニャク糊とオリゴ糖とビフィズス菌や乳酸菌などプロバイオティクスを含んだヨーグルトの三種の材料が、一度に食べられるようにこれら三つを一つの容器に充填した健康食品のセット。
【発明の詳細な説明】
【技術分野】
【０００１】  この発明は、コンニャク糊に含まれる自然界に存在する超高度な食物繊維であるグルコマンナンと、腸内の善玉菌であるビフィズス菌や乳酸菌の餌であるオリゴ糖と、そのオリゴ糖を食べて短鎖脂肪酸を産出し腸内の環境を良くする乳酸菌やビフィズス菌などプロバイオティクスを含むヨーグルトを、一度に取ることが出来るようにすることを目的としたものである。
【背景技術】
【０００２】  従来、グルコマンナンはコンニャク糊としてそのまま食べられることはなかった。オリゴ糖はそれ自体として販売され、ヨーグルトは別に買い、それにオリゴ糖をかけて食べられていた。
【発明の開示】
【発明が開示しようとする課題】
【０００３】  これらには次のような欠点があった。
これらは本来一緒に食べることがよいにも関わらず、別々の状態に置かれているのであり、一度に食べられる機会がなかった。特にコンニャク糊を食べることが想定されていないからである。
本発明は、これらの欠点を除くためになされたものである。
【課題を解決するための手段】
【０００４】  コンニャク精粉を水で溶き、それを撹拌しながら加熱し沸騰させてコンニャク糊を作り、それにオリゴ糖を溶解させた水溶液を加えてオリゴ糖入りコンニャク糊を作る。ヨーグルトのカップなどの容器に、オリゴ糖入りコンニャク糊とヨーグルトを入れ封印する。これでコンニャク糊とオリゴ糖とヨーグルトを一度で食べることが出来るヨーグルトのセットの提供が可能となる。
【発明の効果】
【０００５】  腸内環境を最適にするには、食物繊維、プロバイオティクス、オリゴ糖の三つが必要である。食物繊維ではコンニャクのもつ天然の食物繊維であるグルコマンナンが、自然界で最も長い食物繊維であり、コンニャク精粉１グラムが約５０倍の水分を吸収・保持するので、この食物繊維が便をくまなく絡めまとめることが出来、便を硬くもなく柔らかすぎもしない状態を作り、大腸の健康を支える。また、オリゴ糖は腸内のビフィズス菌や乳酸菌などいわゆるプロバイオティクスの餌になり、それらが酢酸・酪酸等の短鎖脂肪酸を産出し、いわゆる悪玉菌の勢力を抑制し、腸内環境を最適化する。さらにヨーグルトはプロバイオティクスを含み、腸内の環境を整える。本発明は、これら三つの長所を一度の摂取で実現できるというセットを提供するところに効果の特色がある。
さらに、これはまだ推定の段階であるが、このセットは腸内環境を最適にし、通じを良くするという効果だけではなく、女性の整理時における痛みやメンタルの低下が、普段に比べ一定程度抑止できているという女性協力者からの感想を得ており、このセットの効果が、腸内環境の整備だけでなく、メンタルを含めた健康の保持に役立つ食品の可能性が示唆されており、驚いている。確かに腸の表面積がとても広くそこに炎症が起きるとすれば、その負担は量的にもかなり大きいものであることが推測され、そこに生理の痛みが加えられれば、神経の大本であるメンタルへの強い影響が考えられ、そうしたことも推測が可能となる。さらに、プロバイオティクスが産出する短鎖脂肪酸以外の生成物が腸壁の細胞に対する栄養素を提供していることも考えられ、さらなる健康効果が期待される。しかし、具体的には専門の研究の結果によってそうしたことの判断がなされるべきであろうと思われる。
【発明を実施するための最良の形態】
【０００６】    以下、本発明の実施形態について説明する。
コンニャク精粉を水で溶き、それを撹拌しながら加熱し沸騰させてコンニャク糊を作り、それにオリゴ糖を溶解させた水溶液を加えてオリゴ糖入りコンニャク糊を作る。ヨーグルトのカップなどの容器に、オリゴ糖入りコンニャク糊とプロバイオティクス入りのヨーグルトを入れ封印する。これでコンニャク糊とオリゴ糖とプロバイオティクス入りヨーグルトを一度で食べることが出来るヨーグルトのセットの提供が可能となる。
(57)【要約】      （修正有）【課題】現在つくられている伝道工芸品を将来なくさない為にも自動化、ＴＴ化して存続させていく事を可能とする。【解決手段】伝道工芸工者が年取り、年々少くなくなり跡継ぎがなく、それを解決する為にその伝道工芸品を無くさない為、子供、孫その子供達に残す為に、見てもらい、作ってもらい、半永久的に残すために、機械化、ロボット化、ＩＴシステム化を行う。【選択図】なし【特許請求の範囲】
【請求項１】
従来の伝道工芸品、今もすべて個人で集落で作られて居り、年寄りが多く、跡継ぎもなく、自分一人で材料、資材、資金面でも、すべて自分でされいる方が今現在であり、
2019106849.tif 000002
機械化、ロボット化、ＩＴシステム化し枝術、革命的であります。
【発明の詳細な説明】
【枝術分野】
【０００１】伝道工芸品、今や危機状能であると思います。伝道工芸工者、年取り、年々少くなくなり跡継ぎがなく、それを解決する為にもその伝道工芸品を無く、さない為、子供、孫  その子供達に残す為にも、見てもらい、作ってもらい、半永久的に残したので考案発を致しました。
【発明が解決しようとする課題】
今、現在つくられている伝道工芸品を将来なくさない為にも自動化、ＴＴ化して在続させていく事が、テーマーです。
(57)【要約】【課題】地震で大きく揺れ家屋の倒壊の危険があるときブレーカースイッチを切るブレーカー遮断具を提供する。【解決手段】長さのある一本の紐状素材を設け、紐状素材の一端に選択できるクリップ係止、又は鋼線Ｌ字形フック係止を設け、他方端に筒状キャツプをぶら下げ設け、キャツプ内部に収まりキャツプを分離して支えるコイルバネをブラケットと一体となるコイルバネ受け筒に固定して設け、揺れの大きさをコイルバネの振幅を利用しキャツプを弾き飛ばし落下させ、キャツプの重さでブレーカースイッチを落とす構造としたことを特徴とするブレーカー遮断具。【選択図】図４
2019192622.tif 000002
【特許請求の範囲】
【請求項１】
長さのある一本の紐状素材の一端にクリップを設け、他方端に筒状キャツプをぶら下げ設け、キャツプ内部に緩く収まりキャツプを分離して支えるコイルバネをブラケットと一体となるコイルバネ受筒に固定して設け、揺れの大きさをコイルバネの振幅を利用しキャツプを弾き飛ばし落下させ、キヤップの重さを介しブレーカースイッチを切る構造としたことを特徴とするブレーカー遮断具。
【発明の詳細な説明】
【技術分野】
【０００１】本発明は、地震で家屋が激しく揺れ倒壊の危険があるときブレーカースイッチを落とす通電火災防止に関するものである。
【背景技術】
【０００２】従来、家屋の倒壊のおそれもない揺れでもブレーカースイッチを切る遮断具はあった。
【発明の概要】
【発明が解決しようとする課題】
【０００３】そのため、次のような問題点があった。
（イ）家屋の倒壊も発生しない揺れでブレーカースイッチの遮断は生活に支障がある。
（ロ）安価で簡単にブレーカーに装着できる遮断具はなかった。
本発明、これらの問題点を解決するためになされたものである。
【課題を解決するための手段】
【０００４】長さのある一本の紐状素材の一端にクリップを設け、他方端に筒状キャツプをぶら下げ設け、キャツプ内部に緩く収まりキャツプを分離して支えるコイルバネをブラケットの一部に固定設け、揺れの大きさをコイルバネの振幅を利用しキャツプを弾き飛ばし落下させキャツプの重さでブレーカースイッチを落とす構造とした。
以上を特徴とするブレーカー遮断具である。
【発明の効果】
【０００５】ブレーカースイッチを挟むクリップ、コイルバネに被せるキャツプを一本の紐状素材で繋ぎ、キャツプを分離して支えるコイルバネをブラケットの一部に固定した。大きく揺れる地震のときコイルバネで支えたキャツプが大きく揺れコイルバネから落下する。
小さな揺れではコイルバネの振幅も小さくキャツプは落下しない。
【図面の簡単な説明】
【０００６】
【図１】  本発明のキャツプとクリップが紐で繋がり一体となる側面図である。
【図２】  本発明のコイルバネをブラケットと一体となるコイルバネ受け筒に固定した側面図である。
【図３】  本発明をブレーカースイッチに装着し使用例を示すブレーカー遮断具組み合わせの側面図である。
【図４】  本発明のキャツプがコイルバネから弾き飛ばされ落下しキャップの重さでブレーカースイッチを切った状態を示す使用例を示す側面図である。
【発明を実施するための形態】
【０００７】以下、本発明の実施の形態について説明する。
長さのある一本の紐（２）の一端にクリップ（１）を設け、他方端に筒状キャツプ（３）をぶら下げ設け、キャツプ内部に緩く収まりキャツプを分離して支えるコイルバネ（４）を固定するコイルバネ受け筒（５）に固定設け、揺れの大きさをコイルバネ（４）の振幅を利用しキャツプを弾き飛ばし落下させキャツプ（３）の重さでブレーカースイッチを落とす構造とした。
本発明は以上のような構成である。
これを使用するときは、ブレーカースイッチに装着するクリップ紐に充分な弛みを得られる距離でブラケット（６）を壁等に固定する。固定方法は両面テープ、木ネジ等選択できる。
【符号の説明】
【０００８】１  クリップ
２  紐
３  キャツプ
４  コイルバネ
５  コイルバネ受け筒
６  ブラケット
７  ブレーカー
８  スイッチ
９  ネジ体
【図１】
2019192622.tif 000003
【図２】
2019192622.tif 000004
【図３】
2019192622.tif 000005
【図４】
2019192622.tif 000006
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
長さのある一本の紐状素材を設け、紐状素材の一端に選択できるクリップ係止、又は鋼線Ｌ字形フック係止を設け、他方端に筒状キャツプをぶら下げ設け、キャツプ内部に収まりキャツプを分離して支えるコイルバネをブラケットと一体となるコイルバネ受け筒に固定して設け、揺れの大きさをコイルバネの振幅を利用しキャツプを弾き飛ばし落下させ、キャツプの重さでブレーカースイッチを落とす構造としたことを特徴とするブレーカー遮断具。
【手続補正３】
【補正対象書類名】明細書
【補正対象項目名】０００４
【補正方法】変更
【補正の内容】
【０００４】長さのある一本の紐状素材を設け、紐状素材の一端に選択できるクリップ係止、又は鋼線Ｌ字形フック係止を設け、他方端に筒状キャツプをぶら下げ設け、キャツプ内部に収まりキャツプを分離して支えるコイルバネをブラケットと一体となるコイルバネ受け筒に固定して設け、揺れの大きさをコイルバネの振幅を利用しキャツプを弾き飛ばし落下させ、キャツプの重さでブレーカースイッチを落とす構造とした。
以上を特徴とするブレーカー遮断具である。
【手続補正４】
【補正対象書類名】明細書
【補正対象項目名】０００６
【補正方法】変更
【補正の内容】
【図面の簡単な説明】
【０００６】
【図１】本発明のキャツプとクリップが紐で繋がり一体となる側面図である。
【図２】本発明のコイルバネをブラケットと一体となるコイルバネ受け筒に固定した側面図である。
【図３】本発明をブレーカースイッチに装着し使用例を示すブレーカー遮断具組み合わせの側面図である。
【図４】本発明のキャツプがコイルバネから弾き飛ばされ落下しキャップの重さでブレーカースイッチを切った状態を示す使用例を示す側面図である。
【図５】本発明の紐状素材の一端に設けたＬ字形フック係止をブレーカースイッチの既存の穴に横方向から差し込んだ状態を示す正面図である。
【図６】本発明のＬ字形フック係止の先端を下方向に曲げた状態を示す正面図である。
【手続補正５】
【補正対象書類名】明細書
【補正対象項目名】０００８
【補正方法】変更
【補正の内容】
【０００８】  １  クリップ
２  紐
３  キャツプ
４  コイルバネ
５  コイルバネ受け筒
６  ブラケット
７  ブレーカー
８  スイッチ
９  ネジ体
１０  Ｌ字形フック係止
【手続補正６】
【補正対象書類名】図面
【補正対象項目名】全図
【補正方法】変更
【補正の内容】
【図１】
2019192622.tif 000007
【図２】
2019192622.tif 000008
【図３】
2019192622.tif 000009
【図４】
2019192622.tif 000010
【図５】
2019192622.tif 000011
【図６】
2019192622.tif 000012
(57)【要約】      （修正有）【課題】ＡＩ（人口知能）を活用した取扱説明書情報への最適なアクセス方法および、アクセス情報の効果的な活用方法を提供する。【解決手段】取扱説明書の構造を法規に必要な部分と実際の中身となる操作方法の部分に分け、操作方法についてはチャット形式で確認・閲覧できるようにする。また操作方法のチャット形式確認については、オペレーターがマニュアルＡＩ（取扱説明書の人工知能）技術を応用して、質問や答えの意図解析を行う。法規に必要な部分については別途オペレーターが制作する。次に、マニュアルＡＩへのデータ登録は、既存データを変換して登録し、さらに恒常的にオペレーターがチャットログを確認し、マニュアルＡＩシステムのチューニング＝シナリオの確認改良を行うことにより、マニュアルＡＩの精度を高める。次に、チャット形式のログをレポート化して製品メーカー等に送付する。【選択図】図１
2019192180.tif 000002
【特許請求の範囲】
【請求項１】
取扱説明書の情報を一定規則にしたがって、質問情報と回答情報に自動振り分けるアルゴリズム。
【請求項２】
請求項１のアルゴリズムが実装され、かつ自動振り分けされた情報をそのまま、または操作者が編集した上でデータベースに登録する装置。
【請求項３】
利用者が、請求項２で登録した取扱説明情報にチャット会話形式で情報アクセスできる装置。
【請求項４】
請求項３のチャット会話形式に入力されたデータを、ＡＩ（人工知能）エンジンを利用し意図解析することで、適切な質問回答ができるシステム。またＡＩエンジンを恒常的にチューニング（質疑応答シナリオを管理者が最適化していく）できる装置。
【請求項５】
取扱説明書にある注意喚起情報を、表形式で表示情報編集できる装置。
【請求項６】
チャット形式会話のログを、頻度や重要キーワード、利用者の満足度（感情分析）を基に解析表示し、操作者がそのまま、または編集した上で取扱説明書の提供者や作成者にレポートする装置。
【発明の詳細な説明】
【技術分野】
【０００１】本発明は取扱説明書の制作と、ＡＩ（人口知能）を活用した取扱説明書情報への最適なアクセス方法および、アクセス情報の効果的な活用方法。
【背景技術】
【０００２】全ての製品に取扱説明書が添付されているが、検索性が悪い・付帯情報が多い。・技術的記述が多いという内容であり、利用者に分かりにくいものとなっている。
【発明の概要】
【発明が解決しようとする課題】
【０００３】取扱説明書の検索性が悪い・付帯情報が多いとなっている理由としては、取扱説明書の構造は、章・節・項と階層的になっており、実際の中身である「項」で探すのが困難ということ。また、法規制による注意喚起情報を記載する必要があるというのが理由であり、本発明はこの２つの課題を解決する。
【課題を解決するための手段】
【０００４】上記の課題を解決するために、第一発明は、自然会話に近いチャットによる質疑応答形式での取扱情報の提供である。第二発明は、従来のデータベース検索システムだと質問・回答共に『意味は同一だが、入力された文章（語句）が違う』場合はＮｏｔ  Ｍａｔｃｈ（該当なし）となってしまうため、ＡＩ（人工知能）を利用したシステム＝マニュアルＡＩを構築し、質問・回答の意図を解析する。第三発明は、第二発明のマニュアルＡＩシステムへのデータ登録システムの構築である。第四発明は法規制文章をマニュアルＡＩと別に制作するシステムの構築である。第五発明は、チャットのログを解析した上で製品メーカーにレポーティングすることで、取扱説明書や製品自体の改良を促せる。
【発明の効果】
【０００５】第一発明、第二発明、第三発明によって、ユーザー（製品利用者）の製品利用における質問回答が容易に正確に行えることが実現され、製品を正しく利用することができるようになり結果として不正利用による事故や製品パフォーマンス低下を防止できる。また第四発明によって、ユーザーは製品利用前に重体な事故要因を知ることできる。さらに第五発明によって、より良い製品取扱情報やより良い製品が開発されることになっていく。
【図面の簡単な説明】
【０００６】
【図１】第一、第二、第三、第四、第五発明の流れと全体像を説明するものである
【図２】第三発明の一要素であるデータ登録の技術を説明するものでる。
【発明を実施するための形態】
【０００７】以下、本発明の実施形態を図１〜２を用いて説明する。
【実施例１】
【０００８】図１は本発明を利用した、図中２ユーザー（製品利用者）の利用を説明したものである。図中１のオペレーターは、図中４データ登録システムを利用し、図中５マニュアルＡＩシステムのデータベースにデータ登録を行う。図中２ユーザーは図中３マニュアルＡＩシステムに、操作方法等の質問を入力すると図中３のマニュアルＡＩシステムは質問意図を解析し質問に対する回答を検索し、図中２のユーザーに表示する。この質疑応答は図中８のチャット形式で行われる。
【実施例２】
【０００９】図１の図中１オペレーターは図中８のチャットログを分析解析した上で、図中６の製品メーカーに対し、図中７のレポーティングが行える。このレポートにより図中５の製品メーカーは取扱説明書や製品の改良が実現できる。また図中１オペレーターは図中８のチャットログを分析解析した上で、図中３マニュアルＡＩの質疑応答を最適化するチューニングをすることができる
【実施例３】
【００１０】図２は、第三発明の図中Ｂ４データ登録システムの仕組みを説明するものである。取扱説明の情報から、図中Ｂ３章・節情報などのタイトル情報を自動抽出し、質疑応答の「質疑」として図中Ｂ２マニュアルＡＩに登録する。次に図中Ｂ５手順情報を自動抽出した上で図中Ｂ１オペレーターが確認し必要に応じてリライト（改変）して、質疑応答の「応答」情報と図中Ｂ２マニュアルＡＩに登録する。また、図中Ｂ４注意情報は、Ｂ１オペレータが確認し必要に応じて、質疑応答の「応答」情報として図中Ｂ２マニュアルＡＩに登録
【符号の説明】
【００１１】１      オペレーター
２      ユーザー
３      マニュアルＡＩシステム
４      データ登録システム
５      マニュアルＡＩのデータベース
６      製品メーカー
７      レポーティング
８      チャットログ
Ｂ１    オペレーター
Ｂ２    マニュアルＡＩ
Ｂ３    章・節情報
Ｂ４    注意情報
Ｂ５    手順情報
【図１】
2019192180.tif 000003
【図２】
2019192180.tif 000004